(57)【特許請求の範囲】
【請求項１】
望遠鏡であって、
第一の半径を備えた第一の凹円柱面を有する第一の反射鏡、
前記第一の半径と異なる第二の半径を備えた第二の凹円柱面を有する第二の反射鏡、及び
前記第一の凹円柱面及び前記第二の凹円柱面が相互に対向すると共に前記第一の凹円柱面の中心軸及び前記第二の凹円柱面の中心軸が相互に直交するように前記第一の反射鏡及び前記第二の反射鏡を固定する固定部材
を含む、望遠鏡。
【請求項２】
請求項１に記載の望遠鏡において、
前記第一の反射鏡は、前記第一の凹円柱面と同軸の凸円柱面を有すると共に、
前記第二の反射鏡は、前記第二の凹円柱面と同軸の凸円柱面を有する、
望遠鏡。
【請求項３】
請求項１又は２に記載の望遠鏡であって、
前記固定部材は、前記第一の反射鏡を固定する第一の固定部材及び前記第二の反射鏡を固定する第二の固定部材を含むと共に
前記第一の固定部材及び前記第二の固定部材は、相互に取り付け可能なものである、
望遠鏡。
【請求項４】
望遠鏡を製造する方法であって、
第一の半径及び第一の中心軸を備えた第一の凹円柱面を有する第一の管を少なくとも前記第一の中心軸と平行に切断することで前記第一の凹円柱面を有する第一の反射鏡を製造する第一のステップ、
前記第一の半径と異なる第二の半径及び第二の中心軸を備えた第二の凹円柱面を有する第二の管を少なくとも前記第二の中心軸と平行に切断することで前記第二の凹円柱面を有する第二の反射鏡を製造する第二のステップ、並びに、
前記第一の凹円柱面及び前記第二の凹円柱面が相互に対向すると共に前記第一の凹円柱面の中心軸及び前記第二の凹円柱面の中心軸が相互に直交するように前記第一の反射鏡及び前記第二の反射鏡を固定する第三のステップ
を含む、望遠鏡を製造する方法。
【請求項５】
請求項４に記載の望遠鏡を製造する方法において、
前記第三のステップは、第一の固定部材に前記第一の反射鏡を固定するステップ、前記第一の固定部材に取り付け可能な第二の固定部材に前記第二の反射鏡を固定するステップ、及び、前記第一の固定部材に前記第二の固定部材を取り付けるステップを含む、望遠鏡を製造する方法。
【発明の詳細な説明】
【技術分野】
【０００１】
本発明の一つの態様は、望遠鏡及び望遠鏡を製造する方法の少なくとも一つに関する。
【背景技術】
【０００２】
従来、望遠鏡及び望遠鏡を製造する方法に関する様々な技術が開示されている。
【０００３】
例えば、ニュートン式望遠鏡及びカセグレン式望遠鏡のような、反射鏡を備えた反射望遠鏡が知られている。ニュートン式望遠鏡の反射鏡には、例えば、放物面鏡又は球面鏡が用いられる。カセグレン式望遠鏡の反射鏡には、例えば、放物面鏡及び双曲面鏡が用いられる。
【０００４】
しかしながら、研磨等の手段によって、望遠鏡に用いられる球面鏡、放物面鏡、又は双曲面鏡を製造すること及びメンテナンスをすることは容易なことではない。このように、球面鏡、放物面鏡、又は双曲面鏡を備えた望遠鏡を製造すること及びメンテナンスをすることは容易なことではない。
【０００５】
また、望遠鏡に用いられる球面鏡、放物面鏡、又は双曲面鏡は、例えば、金属によって作られたものであるため、例えば、より大きい重力又は加速度の下では、望遠鏡に用いられる球面鏡、放物面鏡、又は双曲面鏡の形状がより大きくゆがむ。望遠鏡に用いられる球面鏡、放物面鏡、又は双曲面鏡の形状がより大きくゆがむと、望遠鏡の分解能が低下することになる。例えば、ハッブル宇宙望遠鏡の鏡面のゆがみがハッブル宇宙望遠鏡の分解能の低下を引き起こしたことが知られている。
【発明の概要】
【発明が解決しようとする課題】
【０００６】
本発明の一つの目的は、より容易に製造すること及びより容易にメンテナンスをすることが可能な望遠鏡を提供することである。
【０００７】
本発明の別の目的は、より容易に製造すること及びより容易にメンテナンスをすることが可能な望遠鏡を製造する方法を提供することである。
【課題を解決するための手段】
【０００８】
本発明の一つの態様は、望遠鏡であって、第一の半径を備えた第一の凹円柱面を有する第一の反射鏡、前記第一の半径と異なる第二の半径を備えた第二の凹円柱面を有する第二の反射鏡、及び前記第一の凹円柱面及び前記第二の凹円柱面が相互に対向すると共に前記第一の凹円柱面の中心軸及び前記第二の凹円柱面の中心軸が相互に直交するように前記第一の反射鏡及び前記第二の反射鏡を固定する固定部材を含む、望遠鏡である。
【０００９】
本発明の別の態様は、望遠鏡を製造する方法であって、第一の半径及び第一の中心軸を備えた第一の凹円柱面を有する第一の管を少なくとも前記第一の中心軸と平行に切断することで前記第一の凹円柱面を有する第一の反射鏡を製造する第一のステップ、前記第一の半径と異なる第二の半径及び第二の中心軸を備えた第二の凹円柱面を有する第二の管を少なくとも前記第二の中心軸と平行に切断することで前記第二の凹円柱面を有する第二の反射鏡を製造する第二のステップ、並びに、前記第一の凹円柱面及び前記第二の凹円柱面が相互に対向すると共に前記第一の凹円柱面の中心軸及び前記第二の凹円柱面の中心軸が相互に直交するように前記第一の反射鏡及び前記第二の反射鏡を固定する第三のステップを含む、望遠鏡を製造する方法である。
【発明の効果】
【００１０】
本発明の一つの態様によれば、より容易に製造すること及びより容易にメンテナンスをすることが可能な望遠鏡を提供することが可能になる。
【００１１】
本発明の別の態様によれば、より容易に製造すること及びより容易にメンテナンスをすることが可能な望遠鏡を製造する方法を提供することが可能になる。
【図面の簡単な説明】
【００１２】
【図１】図１は、本発明の第一の実施形態による望遠鏡の構成を例示する図である。
【図２】図２は、本発明の第一の実施形態による望遠鏡の部品の構成を例示する図である。
【図３】図３は、本発明の第一の実施形態による望遠鏡の動作を例示する図である。
【図４】図４は、本発明の第二の実施形態による望遠鏡を製造する方法を例示する図である。
【発明を実施するための形態】
【００１３】
次に、添付する図面と共に、本発明を実施するための形態（本発明の実施形態）を説明する。
【００１４】
図１は、本発明の第一の実施形態による望遠鏡の構成を例示する図である。図１（ａ）は、本発明の第一の実施形態による望遠鏡の構成を例示する斜視図である。図１（ｂ）は、本発明の第一の実施形態による望遠鏡の構成を例示する正面図である。図１（ｃ）は、本発明の第一の実施形態による望遠鏡の構成を例示する背面図である。
【００１５】
図１（ａ）に例示するように、本発明の第一の実施形態による望遠鏡１００は、第一の反射鏡１０及び第二の反射鏡２０を含む。第二の反射鏡２０の光軸は、第一の反射鏡１０の光軸と一致するものであってもよい。第一の反射鏡１０及び第二の反射鏡２０は、第一の反射鏡１０の鏡面及び第二の反射鏡２０の鏡面が相互に対向するように、配置されてもよい。
【００１６】
図１（ａ）に例示されるように、本発明の第一の実施形態による望遠鏡１００は、第一の固定部材３０及び第二の固定部材４０を含む。第一の固定部材３０は、第一の反射鏡１０を固定する。第二の固定部材４０は、第二の反射鏡２０を固定する。第一の固定部材３０及び第二の固定部材４０は、取り付け部５０において相互に取り付け可能なものである。第一の固定部材３０及び第二の固定部材４０は、取り付け部５０において相互に着脱可能なものであることが好ましい。第一の固定部材３０の内面及び第二の固定部材４０の内面には、迷光を除去するための植毛紙を設けることが好ましい。第一の固定部材３０及び第二の固定部材４０は、第一の反射鏡１０及び第二の反射鏡２０を固定するための望遠鏡１００の固定部材を構成するものである。望遠鏡１００においては、第二の固定部材４０の開口４５から光が入射する。望遠鏡１００に入射する光の波長は、特に限定されるものではない。望遠鏡１００に入射する光は、例えば、可視光又は電波であってもよい。
【００１７】
図１に例示するように、Ｚ軸の方向は、第一の反射鏡１０の光軸の方向である。Ｘ軸の方向及びＹ軸の方向は、両方ともＺ軸の方向に直交する方向である。Ｘ軸の方向及びＹ軸の方向は、互いに直交する方向である。
【００１８】
図１（ｂ）に例示されるように、Ｘ方向において、第二の反射鏡２０は、第二の固定部材４０の中央に設けられる。ＸＹ平面における第二の反射鏡２０の断面積は、ＸＹ平面における第二の固定部材４０の開口４５の断面積の約１／２であってもよい。
【００１９】
図１（ｃ）に例示されるように、第一の反射鏡１０は、ＸＹ平面における第一の反射鏡１０の中央部分に開口部１５を有するものであってもよい。
【００２０】
図２は、本発明の第一の実施形態による望遠鏡の部品の構成を例示する図である。図２（ａ）は、本発明の第一の実施形態による望遠鏡に含まれる第一の反射鏡の構成を例示する図である。図２（ｂ）は、本発明の第一の実施形態による望遠鏡に含まれる第二の反射鏡の構成を例示する図である。
【００２１】
図２（ａ）に例示されるように、図１に例示される第一の反射鏡１０は、第一の凹円柱面１０ａ及び第一の凸円柱面１０ｂを有する。第一の凹円柱面１０ａは、凹面であると共に中心軸上の点Ｃ１からの第一の半径Ｒ１ａを備えた円柱面である。第一の凸円柱面１０ｂは、凸面であると共に中心軸上の点Ｃ１からの半径Ｒ１ｂを備えた円柱面である。第一の半径Ｒ１ａは、半径Ｒ１ｂよりも小さい。第一の凹円柱面１０ａ及び第一の凸円柱面１０ｂは、同一の中心軸を有する同軸の円柱面である。
【００２２】
図２（ｂ）に例示されるように、図１に例示される第二の反射鏡２０は、第二の凹円柱面２０ａ及び第二の凸円柱面２０ｂを有する。第二の凹円柱面２０ａは、凹面であると共に中心軸上の点Ｃ２からの第二の半径Ｒ２ａを備えた円柱面である。第二の凸円柱面２０ｂは、凸面であると共に中心軸上の点Ｃ２からの半径Ｒ２ｂを備えた円柱面である。第二の半径Ｒ２ａは、半径Ｒ２ｂよりも小さい。第二の凹円柱面２０ａ及び第二の凸円柱面２０ｂは、同一の中心軸を有する同軸の円柱面である。
【００２３】
第一の半径Ｒ１ａ及び第二の半径Ｒ２ａは、相互に異なる。第二の半径Ｒ２ａは、第一の半径Ｒ１ａの約１／２であってもよい。
【００２４】
図１及び図２に例示されるように、第一の反射鏡１０及び第二の反射鏡２０は、第一の凹円柱面１０ａ及び第二の凹円柱面２０ａが相互に対向すると共に第一の凹円柱面１０ａの中心軸及び第二の凹円柱面２０ａの中心軸が相互に直交するように、配置される。
【００２５】
図３は、本発明の第一の実施形態による望遠鏡の動作を例示する図である。図３（ａ）は、本発明の第一の実施形態による望遠鏡の動作を例示するＸＺ断面図である。図３（ｂ）は、本発明の第一の実施形態による望遠鏡の動作を例示するＹＺ断面図である。
【００２６】
図３（ａ）及び図３（ｂ）に例示されるように、望遠鏡１００の第二の固定部材４０の開口４５から望遠鏡１００の内部に平行光が入射する。望遠鏡１００の第二の固定部材４０の開口４５から入射した平行光は、第二の反射鏡２０の両側を通過すると共に、第一の反射鏡１０によって反射される。第一の反射鏡１０によって反射された光は、第二の反射鏡２０によって反射される。第二の反射鏡２０によって反射された光は、第一の反射鏡１０の開口部１５を通過する。第一の反射鏡１０の開口部１５を通過した光は、図示しない接眼レンズ等を介して、裸眼によって観察されるか、電荷結合素子（ＣＣＤ）のような検出器によって検出されるか、又はカメラのような撮像装置によって撮像される。図３（ａ）に例示されるように、Ｘ方向における第二の反射鏡２０の長さは、Ｘにおける第一の反射鏡１０の長さの約１／２であってもよい。
【００２７】
図３（ａ）に例示するように、望遠鏡１００のＸＺ断面において、第一の反射鏡１０は、球面の凹面鏡のように機能すると共に、第二の反射鏡２０は、平面鏡のように機能する。望遠鏡１００の第二の固定部材４０の開口４５から入射した平行光は、第一の反射鏡１０の第一の凹円柱面１０ａのパワーによってＹ方向に線状に結像されるように、第一の反射鏡１０によって反射される。
【００２８】
図３（ｂ）に例示するように、望遠鏡１００のＹＺ断面において、第一の反射鏡１０は、平面鏡のように機能すると共に、第二の反射鏡２０は、球面の凹面鏡のように機能する。第一の反射鏡１０によって反射された光は、第二の反射鏡２０の第二の凹円柱面２０ａのパワーによってＸ方向に線状に結像されるように、第二の反射鏡２０によって反射される。
【００２９】
図３（ａ）及び図３（ｂ）に例示されるように、第一の反射鏡１０の第一の凹円柱面１０ａのパワーによってＹ方向に線状に結像されると共に第二の反射鏡２０の第二の凹円柱面２０ａのパワーによってＸ方向に線状に結像されるので、望遠鏡１００の第二の固定部材４０の開口４５から入射した平行光は、第一の反射鏡１０及び第二の反射鏡２０によって、ＸＹ平面において点状に結像される。
【００３０】
本発明の第一の実施形態によれば、望遠鏡１００が、凹面であると共に第一の半径Ｒ１ａを備えた円柱面である第一の凹円柱面１０ａ及び凸面であると共に第一の凹円柱面１０ａと同軸の円柱面である第一の凸円柱面１０ｂを有する第一の反射鏡１０を含むので、第一の半径Ｒ１ａを備えた円柱面である第一の凹円柱面１０ａ及び第一の凹円柱面１０ａと同軸の円柱面である第一の凸円柱面１０ｂを有する第一の管から、第一の反射鏡１０を製造することが可能になる。すなわち、本発明の第一の実施形態によれば、より容易に第一の反射鏡１０を製造することが可能になる。
【００３１】
本発明の第一の実施形態によれば、望遠鏡１００が、凹面であると共に第二の半径Ｒ２ａを備えた円柱面である第二の凹円柱面２０ａ及び凸面であると共に第二の凹円柱面２０ａと同軸の円柱面である第二の凸円柱面２０ｂを有する第二の反射鏡２０を含むので、第二の半径Ｒ２ａを備えた円柱面である第二の凹円柱面２０ａ及び第二の凹円柱面２０ａと同軸の円柱面である第二の凸円柱面２０ｂを有する第二の管から第二の反射鏡２０を製造することが可能になる。すなわち、本発明の第一の実施形態によれば、より容易に第二の反射鏡２０を製造することが可能になる。
【００３２】
その結果、より容易に望遠鏡１００を製造することが可能になる。
【００３３】
本発明の第一の実施形態によれば、より容易に第一の反射鏡１０を製造することが可能になるため、望遠鏡１００に含まれる第一の反射鏡１０をより容易に交換することが可能になる。
【００３４】
本発明の第一の実施形態によれば、より容易に第二の反射鏡２０を製造することが可能になるため、望遠鏡１００に含まれる第二の反射鏡２０をより容易に交換することが可能になる。
【００３５】
本発明の第一の実施形態によれば、望遠鏡１００が、凹面であると共に第一の半径Ｒ１ａを備えた円柱面である第一の凹円柱面１０ａを有する第一の反射鏡１０を含むので、必要に応じて、第一の凹円柱面１０ａの中心軸に垂直な方向に第一の凹円柱面１０ａの研磨をすることで、第一の凹円柱面１０ａの形状を調整することが可能になる。
【００３６】
本発明の第一の実施形態によれば、望遠鏡１００が、凹面であると共に第二の半径Ｒ２ａを備えた円柱面である第二の凹円柱面２０ａを有する第二の反射鏡２０を含むので、必要に応じて、第二の凹円柱面２０ａの中心軸に垂直な方向に第二の凹円柱面２０ａの研磨をすることで、第二の凹円柱面２０ａの形状を調整することが可能になる。
【００３７】
その結果、より容易に望遠鏡１００のメンテナンスをすることが可能になる。
【００３８】
本発明の第一の実施形態によれば、望遠鏡１００が、凹面であると共に第一の半径Ｒ１ａを備えた円柱面である第一の凹円柱面１０ａ及び凸面であると共に第一の凹円柱面１０ａと同軸の円柱面である第一の凸円柱面１０ｂを有する第一の反射鏡１０を含むので、第一の反射鏡１０の体積及び／又は重量を低減することが可能になる。すなわち、本発明の第一の実施形態によれば、第一の反射鏡１０を小型化する及び／又は軽量化することが可能になる。
【００３９】
本発明の第一の実施形態によれば、望遠鏡１００が、凹面であると共に第二の半径Ｒ２ａを備えた円柱面である第二の凹円柱面２０ａ及び凸面であると共に第二の凹円柱面２０ａと同軸の円柱面である第二の凸円柱面２０ｂを有する第二の反射鏡２０を含むので、第二の反射鏡２０の体積及び／又は重量を低減することが可能になる。すなわち、本発明の第一の実施形態によれば、第二の反射鏡２０を小型化する及び／又は軽量化することが可能になる。
【００４０】
その結果、望遠鏡１００を小型化する又は軽量化することが可能になる。
【００４１】
例えば、人工衛星又は宇宙ステーションに望遠鏡１００を設ける場合に、人工衛星又は宇宙ステーションの内部の空間における望遠鏡１００の体積の割合を低減することが可能になる。
【００４２】
望遠鏡１００の固定部材が、第一の反射鏡１０を固定する第一の固定部材３０及び第二の反射鏡２０を固定する第二の固定部材４０を含むと共に第一の固定部材３０及び第二の固定部材４０が、相互に取り付け可能なものである場合には、第一の反射鏡１０が設けられた第一の固定部材３０及び第二の反射鏡２０が設けられた第二の固定部材４０を別個に運搬すると共にその後に相互に取り付けることで望遠鏡１００を組み立てることが可能になる。第一の反射鏡１０が設けられた第一の固定部材３０及び第二の反射鏡２０が設けられた第二の固定部材４０を別個に運搬することが可能になるため、第一の反射鏡１０が設けられた第一の固定部材３０及び第二の反射鏡２０が設けられた第二の固定部材４０をより容易に運搬することが可能になる。
【００４３】
第一の反射鏡１０の第一の凹円柱面１０ａの曲率の無い方向（Ｙ方向）が、重力又は加速度の方向と一致するように、第一の反射鏡１０が設けられた第一の固定部材３０を運搬すると、第一の凹円柱面１０ａの曲率の有る方向（Ｘ方向及びＺ方向）における第一の凹円柱面１０ａの形状は、重力又は加速度の影響を受けないため、第一の反射鏡１０のゆがみを防止する又は低減することが可能になる。
【００４４】
第二の反射鏡２０の第二の凹円柱面２０ａの曲率の無い方向（Ｘ方向）が、重力又は加速度の方向と一致するように、第二の反射鏡２０が設けられた第二の固定部材４０を運搬すると、第二の凹円柱面２０ａの曲率の有る方向（Ｙ方向及びＺ方向）における第二の凹円柱面２０ａの形状は、重力又は加速度の影響を受けないため、第二の反射鏡２０のゆがみを防止する又は低減することが可能になる。
【００４５】
第一の反射鏡１０が設けられた第一の固定部材３０及び第二の反射鏡２０が設けられた第二の固定部材４０を相互に取り付けることによって組み立てられる望遠鏡１００の分解能の低下を防止する又は低減することが可能になる。
【００４６】
例えば、第一の反射鏡１０が設けられた第一の固定部材３０及び第二の反射鏡２０が設けられた第二の固定部材４０をロケット等によって宇宙空間へ運搬する場合には、第一の凹円柱面１０ａの曲率の無い方向（Ｙ方向）及び第二の凹円柱面２０ａの曲率の無い方向（Ｘ方向）が、ロケット等の加速度の方向と一致するようにすることが好ましい。この場合には、ロケット等の加速度によって生じ得る、第一の反射鏡１０の第一の凹円柱面１０ａ及び第二の反射鏡２０の第二の凹円柱面２０ａのゆがみを防止する又は低減することが可能になる。そして、ロケット等の加速が停止した後、第一の反射鏡１０が設けられた第一の固定部材３０及び第二の反射鏡２０が設けられた第二の固定部材４０を相互に取り付ける。
【００４７】
図４は、本発明の第二の実施形態による望遠鏡を製造する方法を例示する図である。図４（ａ）、（ｂ）、（ｃ）、（ｄ）、（ｅ）、（ｆ）、及び（ｇ）の各々は、本発明の第二の実施形態による望遠鏡を製造する方法におけるステップを例示する図である。
【００４８】
図４に例示されるように、本発明の第二の実施形態による望遠鏡１００を製造する方法は、例えば、図４（ａ）、（ｂ）、（ｃ）、（ｄ）、（ｅ）、（ｆ）、及び（ｇ）に例示するステップを含んでもよい。
【００４９】
図４（ａ）に例示されるステップにおいて、第一の半径Ｒ１ａ及び第一の中心軸を備えた第一の凹円柱面１０ａを有する第一の管、並びに、第一の半径Ｒ１ａと異なる第二の半径Ｒ２ａ及び第二の中心軸を備えた第二の凹円柱面２０ａを有する第二の管を用意する。
【００５０】
図４（ｂ）に例示されるステップにおいて、第一の半径Ｒ１ａ及び第一の中心軸を備えた第一の凹円柱面１０ａを有する第一の管を第一の中心軸と垂直に切断することで第一の中心軸の方向において所定の長さを有する第一の管を形成すると共に、第二の半径Ｒ２ａ及び第二の中心軸を備えた第二の凹円柱面２０ａを有する第二の管を第二の中心軸と垂直に切断することで第二の中心軸の方向において所定の長さを有する第二の管を形成する。
【００５１】
図４（ｃ）に例示されるステップにおいて、第一の半径Ｒ１ａ及び第一の中心軸を備えた第一の凹円柱面並びに第一の中心軸の方向における所定の長さを有する第一の管を第一の中心軸と平行に切断することで第一の反射鏡１０を製造すると共に、第二の半径Ｒ２ａ及び第二の中心軸を備えた第二の凹円柱面並びに第二の中心軸の方向における所定の長さを有する第二の管を第二の中心軸と平行に切断することで第二の反射鏡２０を製造する。図４（ｃ）に例示されるステップにおいて、第一の反射鏡１０を製造する際に、必要に応じて、第一の中心軸と垂直な方向に第一の凹円柱面１０ａを研磨することで、第一の凹円柱面１０ａの形状を調整する。図４（ｃ）に例示されるステップにおいて、第二の反射鏡２０を製造する際に、必要に応じて、第二の中心軸と垂直な方向に第二の凹円柱面２０ａを研磨することで、第二の凹円柱面２０ａの形状を調整する。
【００５２】
図４（ｄ）に例示されるステップにおいて、第一の反射鏡１０の中央部分に開口部１５を形成する。
【００５３】
図４（ｅ）に例示されるステップにおいて、第一の固定部材３０に第一の反射鏡１０を固定する。
【００５４】
図４（ｆ）に例示されるステップにおいて、第一の固定部材３０に取り付け可能な第二の固定部材４０に第二の反射鏡２０を固定する。
【００５５】
図４（ｇ）に例示されるステップにおいて、第一の固定部材３０に第二の固定部材４０を取り付けることで望遠鏡１００の固定部材を形成する。ここで、図４（ｇ）に例示されるように、第一の反射鏡１０及び第二の反射鏡２０は、第一の凹円柱面１０ａ及び第二の凹円柱面２０ａが相互に対向すると共に第一の凹円柱面１０ａの中心軸及び第二の凹円柱面２０ａの中心軸が相互に直交するように、固定される。
【００５６】
なお、図４（ｅ）、（ｆ）、及び（ｇ）に例示されるステップの代わりに、望遠鏡１００の単一の固定部材に第一の反射鏡１０及び第二の反射鏡２０を固定してもよい。
【００５７】
本発明の第二の実施形態によれば、望遠鏡１００を製造する方法が、第一の半径Ｒ１ａ及び第一の中心軸を備えた第一の凹円柱面１０ａを有する第一の管を少なくとも第一の中心軸と平行に切断することで第一の凹円柱面１０ａを有する第一の反射鏡１０を製造する第一のステップを含むので、第一の凹円柱面１０ａを有する第一の管から第一の反射鏡１０を製造することが可能になる。すなわち、本発明の第一の実施形態によれば、より容易に第一の反射鏡１０を製造することが可能になる。
【００５８】
本発明の第二の実施形態によれば、望遠鏡１００を製造する方法が、第一の半径Ｒ１ａと異なる第二の半径Ｒ２ａ及び第二の中心軸を備えた第二の凹円柱面２０ａを有する第二の管を少なくとも第二の中心軸と平行に切断することで第二の凹円柱面２０ａを有する第二の反射鏡２０を製造する第二のステップを含むので、第二の凹円柱面２０ａを有する第二の管から第二の反射鏡２０を製造することが可能になる。すなわち、本発明の第二の実施形態によれば、より容易に第二の反射鏡２０を製造することが可能になる。
【００５９】
その結果、より容易に望遠鏡１００を製造することが可能になる。
【００６０】
本発明の第二の実施形態によれば、より容易に第一の反射鏡１０を製造することが可能になるため、望遠鏡１００に含まれる第一の反射鏡１０をより容易に交換することが可能になる。
【００６１】
本発明の第二の実施形態によれば、より容易に第二の反射鏡２０を製造することが可能になるため、望遠鏡１００に含まれる第二の反射鏡２０をより容易に交換することが可能になる。
【００６２】
本発明の第二の実施形態によれば、第一の凹円柱面１０ａを有する第一の反射鏡１０を製造する第一のステップにおいて、必要に応じて、第一の凹円柱面１０ａの中心軸に垂直な方向に第一の凹円柱面１０ａの研磨をすることで、第一の凹円柱面１０ａの形状を調整することが可能になる。
【００６３】
本発明の第一の実施形態によれば、第二の凹円柱面２０ａを有する第二の反射鏡２０を製造する第二のステップにおいて、必要に応じて、第二の凹円柱面２０ａの中心軸に垂直な方向に第二の凹円柱面２０ａの研磨をすることで、第二の凹円柱面２０ａの形状を調整することが可能になる。
【００６４】
その結果、より容易に望遠鏡１００のメンテナンスをすることが可能になる。
【００６５】
本発明の第二の実施形態によれば、望遠鏡１００を製造する方法が、第一の半径Ｒ１ａ及び第一の中心軸を備えた第一の凹円柱面１０ａを有する第一の管を少なくとも第一の中心軸と平行に切断することで第一の凹円柱面１０ａを有する第一の反射鏡１０を製造する第一のステップを含むので、凹面であると共に第一の半径Ｒ１ａを備えた円柱面である第一の凹円柱面１０ａ及び凸面であると共に第一の凹円柱面１０ａと同軸の円柱面である第一の凸円柱面１０ｂを有する第一の反射鏡１０を製造することが可能になる。それに応じて、第一の反射鏡１０の体積及び／又は重量を低減することが可能になる。すなわち、本発明の第二の実施形態によれば、第一の反射鏡１０を小型化する及び／又は軽量化することが可能になる。
【００６６】
本発明の第二の実施形態によれば、望遠鏡１００を製造する方法が、第一の半径Ｒ１ａと異なる第二の半径Ｒ２ａ及び第二の中心軸を備えた第二の凹円柱面２０ａを有する第二の管を少なくとも第二の中心軸と平行に切断することで第二の凹円柱面２０ａを有する第二の反射鏡２０を製造する第二のステップを含むので、凹面であると共に第二の半径Ｒ２ａを備えた円柱面である第二の凹円柱面２０ａ及び凸面であると共に第二の凹円柱面２０ａと同軸の円柱面である第二の凸円柱面２０ｂを有する第二の反射鏡２０を製造することが可能になる。それに応じて、第二の反射鏡２０の体積及び／又は重量を低減することが可能になる。すなわち、本発明の第二の実施形態によれば、第二の反射鏡２０を小型化する及び／又は軽量化することが可能になる。
【００６７】
その結果、望遠鏡１００を小型化する又は軽量化することが可能になる。
【００６８】
例えば、人工衛星又は宇宙ステーションに望遠鏡１００を設ける場合に、人工衛星又は宇宙ステーションの内部の空間における望遠鏡１００の体積の割合を低減することが可能になる。
【００６９】
第三のステップが、第一の固定部材３０に第一の反射鏡１０を固定するステップ、第一の固定部材３０に取り付け可能な第二の固定部材４０に第二の反射鏡２０を固定するステップ、及び、第一の固定部材３０に第二の固定部材４０を取り付けるステップを含む場合には、第一の反射鏡１０が設けられた第一の固定部材３０及び第二の反射鏡２０が設けられた第二の固定部材４０を別個に運搬すると共にその後に相互に取り付けることで望遠鏡１００を組み立てることが可能になる。第一の反射鏡１０が設けられた第一の固定部材３０及び第二の反射鏡２０が設けられた第二の固定部材４０を別個に運搬することが可能になるため、第一の反射鏡１０が設けられた第一の固定部材３０及び第二の反射鏡２０が設けられた第二の固定部材４０をより容易に運搬することが可能になる。
【００７０】
第一の反射鏡１０の第一の凹円柱面１０ａの曲率の無い方向（Ｙ方向）が、重力又は加速度の方向と一致するように、第一の反射鏡１０が設けられた第一の固定部材３０を運搬すると、第一の凹円柱面１０ａの曲率の有る方向（Ｘ方向及びＺ方向）における第一の凹円柱面１０ａの形状は、重力又は加速度の影響を受けないため、第一の反射鏡１０のゆがみを防止する又は低減することが可能になる。
【００７１】
第二の反射鏡２０の第二の凹円柱面２０ａの曲率の無い方向（Ｘ方向）が、重力又は加速度の方向と一致するように、第二の反射鏡２０が設けられた第二の固定部材４０を運搬すると、第二の凹円柱面２０ａの曲率の有る方向（Ｙ方向及びＺ方向）における第二の凹円柱面２０ａの形状は、重力又は加速度の影響を受けないため、第二の反射鏡２０のゆがみを防止する又は低減することが可能になる。
【００７２】
第一の反射鏡１０が設けられた第一の固定部材３０に第二の反射鏡２０が設けられた第二の固定部材４０を取り付けることによって組み立てられる望遠鏡１００の分解能の低下を防止する又は低減することが可能になる。
【００７３】
例えば、第一の反射鏡１０が設けられた第一の固定部材３０及び第二の反射鏡２０が設けられた第二の固定部材４０をロケット等によって宇宙空間へ運搬する場合には、第一の凹円柱面１０ａの曲率の無い方向（Ｙ方向）及び第二の凹円柱面２０ａの曲率の無い方向（Ｘ方向）が、ロケット等の加速度の方向と一致するようにすることが好ましい。この場合には、ロケット等の加速度によって生じ得る、第一の反射鏡１０の第一の凹円柱面１０ａ及び第二の反射鏡２０の第二の凹円柱面２０ａのゆがみを防止する又は低減することが可能になる。そして、ロケット等の加速が停止した後、第一の反射鏡１０が設けられた第一の固定部材３０及び第二の反射鏡２０が設けられた第二の固定部材４０を取り付ける。
【００７４】
本発明の例示的な実施形態及び／又は具体的な例が、本明細書に付随する図面を参照して記載されてきたものであるとはいえ、本発明は、そのような例示的な実施形態及び／又は具体的な例のいずれにも限定されるものではないと共に、そのような例示的な実施形態及び／又は具体的な例は、本発明の範囲から逸脱することなく、変形される、変更される、又は組み合わせられることがある。
【産業上の利用可能性】
【００７５】
本発明の一つの態様を、望遠鏡及び望遠鏡を製造する方法の少なくとも一つに利用することが可能である。
【符号の説明】
【００７６】
１０  第一の反射鏡
１０ａ  第一の凹円柱面
１０ｂ  第一の凸円柱面
２０  第二の反射鏡
２０ａ  第二の凹円柱面
２０ｂ  第二の凸円柱面
３０  第一の固定部材
４０  第二の固定部材
４５  開口
５０  取り付け部
１００  望遠鏡
Ｒ１ａ  第一の半径
Ｒ２ａ  第二の半径
Ｒ１ｂ，Ｒ２ｂ  半径
Ｃ１，Ｃ２  中心軸上の点
【要約】
【課題】より容易に製造すること及びより容易にメンテナンスをすることが可能な望遠鏡を提供する。
【解決手段】  
望遠鏡（１００）は、第一の半径を備えた第一の凹円柱面（１０ａ）を有する第一の反射鏡（１０）、前記第一の半径と異なる第二の半径を備えた第二の凹円柱面（２０ａ）を有する第二の反射鏡（２０）、及び前記第一の凹円柱面及び前記第二の凹円柱面が相互に対向すると共に前記第一の凹円柱面の中心軸及び前記第二の凹円柱面の中心軸が相互に直交するように前記第一の反射鏡及び前記第二の反射鏡を固定する固定部材（３０，４０）を含む。
【選択図】図１【図１】
0005903511.tif 000002
【図２】
0005903511.tif 000003
【図３】
0005903511.tif 000004
【図４】
0005903511.tif 000005